(57)【要約】【課題】無線通信システムにおいて端末が基地局からＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を受信する方法を提供する。【解決手段】この方法は、前記ＥＰＤＣＣＨのためのリソースブロックにおいて、一つ以上のＥＣＣＥ（Ｅｎｈａｎｃｅｄ  Ｃｏｎｔｒｏｌ  Ｃｈａｎｎｅｌ  Ｅｌｅｍｅｎｔ）で構成された少なくとも一つのＥＰＤＣＣＨ候補をモニタリングして前記ＥＰＤＣＣＨを受信するステップを含み、前記少なくとも一つのＥＰＤＣＣＨ候補のそれぞれを構成するＥＣＣＥの個数は集成レベルに対応し、前記ＥＰＤＣＣＨ候補の個数は、前記リソースブロック当たりのＥＣＣＥの個数と前記リソースブロックの個数に基づいて設定され、前記リソースブロックの個数が第１値であり、前記リソースブロック当たりの前記ＥＣＣＥの個数が第２値である場合、特定集成レベルの前記ＥＰＤＣＣＨ候補の個数は、ＥＣＣＥの総数を対応する前記特定集成レベルで除算した値に設定されることを特徴とする。【選択図】図１６
2015519780.tif 000002
【特許請求の範囲】
【請求項１】
無線通信システムにおいて端末が基地局からＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を受信する方法であって、
前記ＥＰＤＣＣＨのためのリソースブロックにおいて、一つ以上のＥＣＣＥ（Ｅｎｈａｎｃｅｄ  Ｃｏｎｔｒｏｌ  Ｃｈａｎｎｅｌ  Ｅｌｅｍｅｎｔ）で構成された少なくとも一つのＥＰＤＣＣＨ候補をモニタリングして前記ＥＰＤＣＣＨを受信するステップを含み、
前記少なくとも一つのＥＰＤＣＣＨ候補のそれぞれを構成するＥＣＣＥの個数は、集成レベルに対応し、
前記ＥＰＤＣＣＨ候補の個数は、前記リソースブロック当たりのＥＣＣＥの個数と前記リソースブロックの個数に基づいて設定され、
前記リソースブロックの個数が第１値であり、前記リソースブロック当たりの前記ＥＣＣＥの個数が第２値である場合、それぞれの集成レベルに対する前記ＥＰＤＣＣＨ候補の個数は、ＥＣＣＥの総数を該当の集成レベルで除算した値に設定されることを特徴とする、ＥＰＤＣＣＨ受信方法。
【請求項２】
前記ＥＣＣＥの総数は、前記第１値と前記第２値との積で表現されることを特徴とする、請求項１に記載のＥＰＤＣＣＨ受信方法。
【請求項３】
前記第１値は２であり、
前記第２値は４であることを特徴とする、請求項１に記載のＥＰＤＣＣＨ受信方法。
【請求項４】
前記集成レベルは、１、２、４及び８のうちの一つであることを特徴とする、請求項１に記載のＥＰＤＣＣＨ受信方法。
【請求項５】
前記リソースブロックの個数が前記第１値でないか、又は前記リソースブロック当たりの前記ＥＣＣＥの個数が前記第２値でない場合、前記特定集成レベルのＥＰＤＣＣＨ候補の個数は、既に定義された値に設定されることを特徴とする、請求項１に記載のＥＰＤＣＣＨ受信方法。
【請求項６】
前記リソースブロック対当たりの前記ＥＣＣＥの個数は、２個又は４個であることを特徴とする、請求項１に記載のＥＰＤＣＣＨ受信方法。
【請求項７】
無線通信システムにおける端末装置であって、
ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）のためのリソースブロックにおいて、一つ以上のＥＣＣＥ（Ｅｎｈａｎｃｅｄ  Ｃｏｎｔｒｏｌ  Ｃｈａｎｎｅｌ  Ｅｌｅｍｅｎｔ）で構成された少なくとも一つのＥＰＤＣＣＨ候補をモニタリングして、前記ＥＰＤＣＣＨを獲得するためのプロセッサを備え、
前記少なくとも一つのＥＰＤＣＣＨ候補のそれぞれを構成するＥＣＣＥの個数は、集成レベルに対応し、
前記プロセッサは、
前記ＥＰＤＣＣＨ候補の個数をリソースブロック当たりのＥＣＣＥの個数と前記リソースブロックの個数に基づいて設定し、前記リソースブロックの個数が第１値であり、前記リソースブロック当たりの前記ＥＣＣＥの個数が第２値である場合、特定集成レベルの前記ＥＰＤＣＣＨ候補の個数は、ＥＣＣＥの総数を対応する前記特定集成レベルで除算した値に設定することを特徴とする、端末装置。
【請求項８】
前記ＥＣＣＥの総数は、前記第１値と前記第２値との積で表現されることを特徴とする、請求項７に記載の端末装置。
【請求項９】
前記第１値は２であり、
前記第２値は４であることを特徴とする、請求項７に記載の端末装置。
【請求項１０】
前記集成レベルは、１、２、４及び８のうちの一つであることを特徴とする、請求項７に記載の端末装置。
【請求項１１】
前記プロセッサは、前記リソースブロックの個数が前記第１値でないか、又は前記リソースブロック当たりの前記ＥＣＣＥの個数が前記第２値でない場合、前記特定集成レベルのＥＰＤＣＣＨ候補の個数は、既に定義された値に設定されることを特徴とする、請求項７に記載の端末装置。
【請求項１２】
前記リソースブロック対当たりの前記ＥＣＣＥの個数は、２個又は４個であることを特徴とする、請求項７に記載の端末装置。
【請求項１３】
無線通信システムにおいて端末が基地局からＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を受信する方法であって、
前記ＥＰＤＣＣＨのためのリソースブロックにおいて、一つ以上のＥＣＣＥ（Ｅｎｈａｎｃｅｄ  Ｃｏｎｔｒｏｌ  Ｃｈａｎｎｅｌ  Ｅｌｅｍｅｎｔ）で構成された少なくとも一つのＥＰＤＣＣＨ候補をモニタリングして前記ＥＰＤＣＣＨを受信するステップを含み、
前記少なくとも一つのＥＰＤＣＣＨ候補のそれぞれを構成するＥＣＣＥの個数は、集成レベルに対応し、
前記ＥＰＤＣＣＨ候補の個数は、前記リソースブロック当たりのＥＣＣＥの個数と前記リソースブロックの個数に基づいて設定され、
前記リソースブロックに含まれたＥＣＣＥの総数が特定集成レベルに対する所定個数のＥＰＤＣＣＨ候補を生成するには不足する場合、前記特定集成レベルの下位集成レベルに対するＥＰＤＣＣＨ候補の個数を増加させ、前記特定集成レベルに対するＥＰＤＣＣＨ候補の個数は減少させることを特徴とする、ＥＰＤＣＣＨ受信方法。
【発明の詳細な説明】
【技術分野】
【０００１】
本発明は、無線通信システムに関し、特に、無線通信システムにおいて下りリンク制御チャネルを送受信する方法及びそのための装置に関する。
【背景技術】
【０００２】
本発明を適用できる無線通信システムの一例として、３ＧＰＰ ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ ７及びＲｅｌｅａｓｅ ８を参照すればよい。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．４４、３、５、１０、１５、２０ＭＨｚなどの帯域幅のいずれか一つに設定され、複数の端末に下り又は上り送信サービスを提供する。異なったセルは、互いに異なった帯域幅を提供するように設定されればよい。基地局は、複数の端末に関するデータ送受信を制御する。下りリンク（Ｄｏｗｎｌｉｎｋ；ＤＬ）データについて、基地局は下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は上りリンクスケジューリング情報を該当の端末に送信し、該当の端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成可能である。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡに基づいてＬＴＥにまで開発されてきたが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数バンドの使用、単純構造と開放型インターフェース、端末の適度なパワー消耗などが要求される。
【発明の概要】
【発明が解決しようとする課題】
【０００７】
上述したような議論に基づき、以下では無線通信システムにおいて下りリンク制御チャネルを送受信する方法及びそのための装置を提案する。
【課題を解決するための手段】
【０００８】
本発明の一実施例である、無線通信システムにおいて端末が基地局からＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を受信する方法は、前記ＥＰＤＣＣＨのためのリソースブロックにおいて、一つ以上のＥＣＣＥ（Ｅｎｈａｎｃｅｄ  Ｃｏｎｔｒｏｌ  Ｃｈａｎｎｅｌ  Ｅｌｅｍｅｎｔ）で構成された少なくとも一つのＥＰＤＣＣＨ候補をモニタリングして前記ＥＰＤＣＣＨを受信するステップを含み、前記少なくとも一つのＥＰＤＣＣＨ候補のそれぞれを構成するＥＣＣＥの個数は、集成レベルに対応し、前記ＥＰＤＣＣＨ候補の個数は、前記リソースブロック当たりのＥＣＣＥの個数と前記リソースブロックの個数に基づいて設定され、前記リソースブロックの個数が第１値であり、前記リソースブロック当たりの前記ＥＣＣＥの個数が第２値である場合、それぞれの集成レベルに対する前記ＥＰＤＣＣＨ候補の個数は、ＥＣＣＥの総数を該当の集成レベルで除算した値に設定されることを特徴とする。
【０００９】
一方、前記リソースブロックの個数が前記第１値でないか、又は前記リソースブロック当たりの前記ＥＣＣＥの個数が前記第２値でない場合、前記特定集成レベルのＥＰＤＣＣＨ候補の個数は、既に定義された値に設定されることを特徴とする。
【００１０】
また、本発明の他の実施例である、無線通信システムにおける端末装置は、ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）のためのリソースブロックにおいて、一つ以上のＥＣＣＥ（Ｅｎｈａｎｃｅｄ  Ｃｏｎｔｒｏｌ  Ｃｈａｎｎｅｌ  Ｅｌｅｍｅｎｔ）で構成された少なくとも一つのＥＰＤＣＣＨ候補をモニタリングして、前記ＥＰＤＣＣＨを獲得するためのプロセッサを備え、前記少なくとも一つのＥＰＤＣＣＨ候補のそれぞれを構成するＥＣＣＥの個数は、集成レベルに対応し、前記プロセッサは、前記ＥＰＤＣＣＨ候補の個数をリソースブロック当たりのＥＣＣＥの個数と前記リソースブロックの個数に基づいて設定し、前記リソースブロックの個数が第１値であり、前記リソースブロック当たりの前記ＥＣＣＥの個数が第２値である場合、特定集成レベルの前記ＥＰＤＣＣＨ候補の個数は、ＥＣＣＥの総数を対応する前記特定集成レベルで除算した値に設定することを特徴とする。
【００１１】
一方、前記プロセッサは、前記リソースブロックの個数が前記第１値でないか、又は前記リソースブロック当たりの前記ＥＣＣＥの個数が前記第２値でない場合、前記特定集成レベルのＥＰＤＣＣＨ候補の個数は、既に定義された値に設定されることを特徴とする。
【００１２】
上記の実施例において、前記ＥＣＣＥの総数は、前記第１値と前記第２値との積で表現されることを特徴とし、前記第１値は２であり、前記第２値は４であることが好ましい。より好ましくは、前記集成レベルは、１、２、４及び８のうちの一つであることを特徴とする。
【００１３】
さらに、前記リソースブロック対当たりの前記ＥＣＣＥの個数は、２個又は４個であってもよい。
【００１４】
また、本発明の更に他の実施例である、無線通信システムにおいて端末が基地局からＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を受信する方法は、前記ＥＰＤＣＣＨのためのリソースブロックにおいて、一つ以上のＥＣＣＥ（Ｅｎｈａｎｃｅｄ  Ｃｏｎｔｒｏｌ  Ｃｈａｎｎｅｌ  Ｅｌｅｍｅｎｔ）で構成された少なくとも一つのＥＰＤＣＣＨ候補をモニタリングして前記ＥＰＤＣＣＨを受信するステップを含み、前記少なくとも一つのＥＰＤＣＣＨ候補のそれぞれを構成するＥＣＣＥの個数は、集成レベルに対応し、前記ＥＰＤＣＣＨ候補の個数は、前記リソースブロック当たりのＥＣＣＥの個数と前記リソースブロックの個数に基づいて設定され、前記リソースブロックに含まれたＥＣＣＥの総数が特定集成レベルに対する所定個数のＥＰＤＣＣＨ候補を生成するには不足する場合、前記特定集成レベルの下位集成レベルに対するＥＰＤＣＣＨ候補の個数を増加させ、前記特定集成レベルに対するＥＰＤＣＣＨ候補の個数は減少させることを特徴とする。
【発明の効果】
【００１５】
本発明の実施例によれば、無線通信システムにおいて下りリンク制御チャネルを効率的に送受信することが可能になる。
【００１６】
本発明で得られる効果は、以上に言及した効果に制限されず、言及していない別の効果は、下の記載から、本発明の属する技術の分野における通常の知識を有する者には明確に理解されるであろう。
【図面の簡単な説明】
【００１７】
【図１】無線通信システムの一例としてＥ−ＵＭＴＳネットワーク構造を概略的に示す図である。
【図２】３ＧＰＰ無線接続網規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）構造を示す図である。
【図３】３ＧＰＰシステムに用いられる物理チャネル及びそれらを用いた一般の信号送信方法を説明するための図である。
【図４】ＬＴＥシステムにおいて用いられる下りリンク無線フレームの構造を例示する図である。
【図５】ＬＴＥシステムにおいて下りリンク制御チャネルを構成するために使用されるリソース単位を示す図である。
【図６】ＬＴＥシステムで用いられる上りリンクサブフレームの構造を示す図である。
【図７】搬送波集成（ｃａｒｒｉｅｒ  ａｇｇｒｅｇａｔｉｏｎ）を説明する概念図である。
【図８】次世代通信システムにおいて多重ノードシステムを例示する図である。
【図９】ＥＰＤＣＣＨ、及びＥＰＤＣＣＨによってスケジューリングされるＰＤＳＣＨを例示する図である。
【図１０】本発明の実施例によってＥＰＤＣＣＨのブラインドデコーティングのために６個のＰＲＢ対に構成されたＥＰＤＣＣＨ候補を例示する図である。
【図１１】本発明の実施例によってＥＰＤＣＣＨのブラインドデコーティングのために４個のＰＲＢ対に構成されたＥＰＤＣＣＨ候補の一例を示す図である。
【図１２】本発明の実施例によってＥＰＤＣＣＨのブラインドデコーティングのために４個のＰＲＢ対に構成されたＥＰＤＣＣＨ候補の他の例を示す図である。
【図１３】本発明の実施例によってＥＰＤＣＣＨのブラインドデコーティングのために３個のＰＲＢ対に構成されたＥＰＤＣＣＨ候補の一例を示す図である。
【図１４】本発明の実施例によってＥＰＤＣＣＨのブラインドデコーティングのために３個のＰＲＢ対に構成されたＥＰＤＣＣＨ候補の他の例を示す図である。
【図１５】本発明の実施例によってＥＰＤＣＣＨのブラインドデコーティングのために３個のＰＲＢ対に構成されたＥＰＤＣＣＨ候補の更に他の例を示す図である。
【図１６】本発明の実施例によってＥＰＤＣＣＨのブラインドデコーティングのために２個のＰＲＢ対に構成されたＥＰＤＣＣＨ候補の一例を示す図である。
【図１７】本発明の実施例によってＥＰＤＣＣＨのブラインドデコーティングのために２個のＰＲＢ対に構成されたＥＰＤＣＣＨ候補の他の例を示す図である。
【図１８】本発明の実施例によってＥＰＤＣＣＨのブラインドデコーティングのために２個のＰＲＢ対に構成されたＥＰＤＣＣＨ候補の更に他の例を示す図である。
【図１９】本発明の実施例によって搬送波集成技法が適用された環境下でＥＰＤＣＣＨのブラインドデコーティングのために６個のＰＲＢ対に構成されたＥＰＤＣＣＨ候補の一例を示す図である
【図２０】本発明の実施例によって搬送波集成技法が適用された環境下でＥＰＤＣＣＨのブラインドデコーティングのために６個のＰＲＢ対に構成されたＥＰＤＣＣＨ候補の他の例を示す図である。
【図２１】本発明の実施例に係る通信装置のブロック構成図である。
【発明を実施するための形態】
【００１８】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００１９】
本明細書ではＬＴＥシステム及びＬＴＥ−Ａシステムを用いて本発明の実施例を説明するが、これは例示に過ぎず、本発明の実施例は、上述した定義に該当するいかなる通信システムにも適用可能である。また、本明細書は、ＦＤＤ方式を基準にして本発明の実施例について説明するが、これは例示に過ぎず、本発明の実施例は、Ｈ−ＦＤＤ方式又はＴＤＤ方式にも容易に変形して適用されてもよい。
【００２０】
図２は、３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）のコントロールプレーン及びユーザプレーンの構造を示す図である。コントロールプレーンとは、端末（ＵＥ）とネットワークとが呼を管理するために用いる制御メッセージが送信される通路のことを意味する。ユーザプレーンとは、アプリケーション層で生成されたデータ、例えば、音声データ又はインターネットパケットデータなどが送信される通路のことを意味する。
【００２１】
第１層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は、上位の媒体接続制御（Ｍｅｄｉｕｍ  Ａｃｃｅｓｓ  Ｃｏｎｔｒｏｌ）層とは送信チャネル（Ｔｒａｎｓｐｏｒｔ  Ｃｈａｎｎｅｌ）を介して接続されている。該送信チャネルを介して媒体接続制御層と物理層との間にデータが移動する。送信側の物理層と受信側の物理層との間には物理チャネルを介してデータが移動する。該物理チャネルは、時間及び周波数を無線リソースとして活用する。具体的に、物理チャネルは、下りリンクにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいてＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２２】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して、上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼できるデータ送信を支援する。ＲＬＣ層の機能は、ＭＡＣ内部の機能ブロックとしてもよい。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを效率的に送信するために、余分の制御情報を減らすヘッダー圧縮（Ｈｅａｄｅｒ  Ｃｏｍｐｒｅｓｓｉｏｎ）機能を果たす。
【００２３】
第３層の最下部に位置する無線リソース制御（Ｒａｄｉｏ  Ｒｅｓｏｕｒｃｅ  Ｃｏｎｔｒｏｌ；ＲＲＣ）層は、コントロールプレーンにのみ定義される。ＲＲＣ層は、無線ベアラー（Ｒａｄｉｏ  Ｂｅａｒｅｒ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）に関連して、論理チャネル、送信チャネル及び物理チャネルの制御を担当する。無線ベアラー（ＲＢ）とは、端末とネットワーク間のデータ伝達のために第２層により提供されるサービスのことを意味する。そのために、端末のＲＲＣ層とネットワークのＲＲＣ層とはＲＲＣメッセージを互いに交換する。端末のＲＲＣ層とネットワークのＲＲＣ層間にＲＲＣ接続（ＲＲＣ  Ｃｏｎｎｅｃｔｅｄ）がある場合に、端末はＲＲＣ接続状態（Ｃｏｎｎｅｃｔｅｄ  Ｍｏｄｅ）にあり、そうでない場合は、ＲＲＣ休止状態（Ｉｄｌｅ  Ｍｏｄｅ）にあるようになる。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００２４】
基地局（ｅＮＢ）を構成する一つのセルは、１．４、３、５、１０、１５、２０ＭＨｚなどの帯域幅のいずれか一つに設定され、複数の端末に下り又は上り送信サービスを提供する。異なったセルは互いに異なった帯域幅を提供するように設定されるとよい。
【００２５】
ネットワークから端末にデータを送信する下り送信チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージは、下りＳＣＨを介して送信されてもよく、別の下りＭＣＨ（Ｍｕｌｔｉｃａｓｔ  Ｃｈａｎｎｅｌ）を介して送信されてもよい。一方、端末からネットワークにデータを送信する上り送信チャネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。送信チャネルの上位に存在し、送信チャネルにマッピングされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２６】
図３は、３ＧＰＰシステムに用いられる物理チャネル及びこれらのチャネルを用いた一般の信号送信方法を説明するための図である。
【００２７】
端末は、電源が入ったり、新しくセルに進入したりした場合に、基地局と同期を取る等の初期セル探索（Ｉｎｉｔｉａｌ  ｃｅｌｌ  ｓｅａｒｃｈ）作業を行う（Ｓ３０１）。そのために、端末は、基地局からプライマリ同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及びセカンダリ同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信して基地局と同期を取り、セルＩＤなどの情報を獲得すればよい。その後、端末は、基地局から物理放送チャネル（Ｐｈｙｓｉｃａｌ  Ｂｒｏａｄｃａｓｔ  Ｃｈａｎｎｅｌ）を受信し、セル内放送情報を獲得できる。一方、端末は、初期セル探索段階で、下りリンク参照信号（Ｄｏｗｎｌｉｎｋ  Ｒｅｆｅｒｅｎｃｅ  Ｓｉｇｎａｌ；ＤＬ ＲＳ）を受信し、下りリンクチャネル状態を確認できる。
【００２８】
初期セル探索を終えた端末は、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、及び該ＰＤＣＣＨに載せられた情報に基づいて物理下りリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を獲得できる（Ｓ３０２）。
【００２９】
一方、基地局に最初に接続したり信号送信のための無線リソースがない場合には、端末は、基地局にランダムアクセス手順（Ｒａｎｄｏｍ  Ａｃｃｅｓｓ  Ｐｒｏｃｅｄｕｒｅ；ＲＡＣＨ）を行ってよい（Ｓ３０３乃至Ｓ３０６）。そのために、端末は、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を介して特定シーケンスをプリアンブルとして送信し（Ｓ３０３及びＳ３０５）、ＰＤＣＣＨ及び対応するＰＤＳＣＨを介して、プリアンブルに対する応答メッセージを受信すればよい（Ｓ３０４及びＳ３０６）。競合ベースのＲＡＣＨについては、衝突解決手順（Ｃｏｎｔｅｎｔｉｏｎ  Ｒｅｓｏｌｕｔｉｏｎ  Ｐｒｏｃｅｄｕｒｅ）をさらに行ってもよい。
【００３０】
上述の手順を行った端末は、以降、一般的な上りリンク／下りリンク信号送信手順として、ＰＤＣＣＨ／ＰＤＳＣＨ受信（Ｓ３０７）、及び物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）送信（Ｓ３０８）を行えばよい。特に、端末はＰＤＣＣＨを介して下りリンク制御情報（Ｄｏｗｎｌｉｎｋ  Ｃｏｎｔｒｏｌ  Ｉｎｆｏｒｍａｔｉｏｎ；ＤＣＩ）を受信する。ここで、ＤＣＩは、端末に対するリソース割当情報のような制御情報を含んでおり、その使用目的によってフォーマットが異なっている。
【００３１】
一方、端末が上りリンクを介して基地局に送信する又は端末が基地局から受信する制御情報としては、下りリンク／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムでは、端末は、これらのＣＱＩ／ＰＭＩ／ＲＩなどの制御情報をＰＵＳＣＨ及び／又はＰＵＣＣＨを介して送信してもよい。
【００３２】
図４は、下りリンク無線フレームにおいて一つのサブフレームの制御領域に含まれる制御チャネルを例示する図である。
【００３３】
図４を参照すると、サブフレームは、１４個のＯＦＤＭシンボルで構成されている。サブフレーム設定によって先頭の１乃至３個のＯＦＤＭシンボルは制御領域として用いられ、残り１３〜１１個のＯＦＤＭシンボルはデータ領域として用いられる。同図で、Ｒ１乃至Ｒ４は、アンテナ０乃至３に対する参照信号（Ｒｅｆｅｒｅｎｃｅ  Ｓｉｇｎａｌ（ＲＳ）、又はＰｉｌｏｔ  Ｓｉｇｎａｌ）を表す。ＲＳは、制御領域及びデータ領域を問わず、サブフレーム内に一定のパターンで固定される。制御チャネルは、制御領域においてＲＳの割り当てられないリソースに割り当てられ、トラフィックチャネルも、データ領域においてＲＳの割り当てられないリソースに割り当てられる。制御領域に割り当てられる制御チャネルとしては、ＰＣＦＩＣＨ（ＰｈｙｓｉｃａｌＣｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）などがある。
【００３４】
ＰＣＦＩＣＨは、物理制御フォーマット指示子チャネルで、毎サブフレームごとにＰＤＣＣＨに用いられるＯＦＤＭシンボルの個数を端末に知らせる。ＰＣＦＩＣＨは、最初のＯＦＤＭシンボルに位置し、ＰＨＩＣＨ及びＰＤＣＣＨに優先して設定される。ＰＣＦＩＣＨは、４個のＲＥＧ（Ｒｅｓｏｕｒｃｅ  Ｅｌｅｍｅｎｔ  Ｇｒｏｕｐ）で構成され、それぞれのＲＥＧは、セルＩＤ（Ｃｅｌｌ  ＩＤｅｎｔｉｔｙ）に基づいて制御領域内に分散される。１個のＲＥＧは４個のＲＥ（Ｒｅｓｏｕｒｃｅ  Ｅｌｅｍｅｎｔ）で構成される。ＲＥは、１個の副搬送波×１個のＯＦＤＭシンボルで定義される最小物理リソースを表す。ＰＣＦＩＣＨ値は帯域幅によって、１乃至３、又は２乃至４の値を指示し、ＱＰＳＫ（Ｑｕａｄｒａｔｕｒｅ  Ｐｈａｓｅ  Ｓｈｉｆｔ  Ｋｅｙｉｎｇ）で変調される。
【００３５】
ＰＨＩＣＨは、物理ＨＡＲＱ（Ｈｙｂｒｉｄ−Ａｕｔｏｍａｔｉｃ  Ｒｅｐｅａｔ  ａｎｄ  ｒｅｑｕｅｓｔ）指示子チャネルで、上りリンク送信に対するＨＡＲＱ ＡＣＫ／ＮＡＣＫを運ぶのに用いられる。すなわち、ＰＨＩＣＨは、ＵＬ ＨＡＲＱのためのＤＬ ＡＣＫ／ＮＡＣＫ情報が送信されるチャネルを表す。ＰＨＩＣＨは、１個のＲＥＧで構成され、セル特定（ｃｅｌｌ−ｓｐｅｃｉｆｉｃ）にスクランブル（ｓｃｒａｍｂｌｉｎｇ）される。ＡＣＫ／ＮＡＣＫは１ビットで指示され、ＢＰＳＫ（Ｂｉｎａｒｙ  ｐｈａｓｅ  ｓｈｉｆｔ  ｋｅｙｉｎｇ）で変調される。変調されたＡＣＫ／ＮＡＣＫは、拡散因子（Ｓｐｒｅａｄｉｎｇ  Ｆａｃｔｏｒ；ＳＦ）＝２又は４で拡散される。同一のリソースにマッピングされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ（グループ）は、周波数領域及び／又は時間領域においてダイバーシティ利得を得るために３回反復（ｒｅｐｅｔｉｔｉｏｎ）される。
【００３６】
ＰＤＣＣＨは、物理下りリンク制御チャネルで、サブフレームの先頭ｎ個のＯＦＤＭシンボルに割り当てられる。ここで、ｎは、１以上の整数であり、ＰＣＦＩＣＨにより指示される。ＰＤＣＣＨは、１個以上のＣＣＥ（Ｃｏｎｔｒｏｌ  Ｃｈａｎｎｅｌ  Ｅｌｅｍｅｎｔ）で構成される。ＰＤＣＣＨは、送信チャネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）のリソース割当に関する情報、上りリンクスケジューリンググラント（Ｕｐｌｉｎｋ  Ｓｃｈｅｄｕｌｉｎｇ  Ｇｒａｎｔ）、ＨＡＲＱ情報などを、各端末又は端末グループに知らせる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）は、ＰＤＳＣＨを介して送信される。したがって、基地局と端末は一般に、特定の制御情報又は特定のサービスデータ以外はＰＤＳＣＨを介してそれぞれ送信及び受信する。
【００３７】
ＰＤＳＣＨのデータがいずれの端末（１つ又は複数の端末）に送信されるものであるか、それら端末がどのようにＰＤＳＣＨデータを受信してデコーディング（ｄｅｃｏｄｉｎｇ）をすべきかに関する情報などは、ＰＤＣＣＨに含まれて送信される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣ（ｃｙｃｌｉｃ  ｒｅｄｕｎｄａｎｃｙ  ｃｈｅｃｋ）マスクされており、「Ｂ」という無線リソース（例、周波数位置）及び「Ｃ」という伝送形式情報（例、伝送ブロックサイズ、変調方式、コーディング情報など）を用いて送信されるデータに関する情報が特定サブフレームにおいて送信されるとしよう。この場合、セル内の端末は、自身が持っているＲＮＴＩ情報を用いてＰＤＣＣＨをモニタリングし、「Ａ」のＲＮＴＩを持っている一つ以上の端末があると、それら端末は、ＰＤＣＣＨを受信し、受信したＰＤＣＣＨの情報に基づき、「Ｂ」と「Ｃ」により指示されるＰＤＳＣＨを受信する。
【００３８】
図５は、ＬＴＥシステムにおいて下りリンク制御チャネルを構成するために使用されるリソース単位を示す。特に、図５の（ａ）は、基地局の送信アンテナの個数が１個又は２個である場合を示し、図５の（ｂ）は、基地局の送信アンテナの個数が４個である場合を示す。送信アンテナの個数によってＲＳ（Ｒｅｆｅｒｅｎｃｅ  Ｓｉｇｎａｌ）パターンが異なるだけで、制御チャネルと関連したリソース単位の設定方法は同一である。
【００３９】
図５を参照すると、下りリンク制御チャネルの基本リソース単位は、ＲＥＧ（Ｒｅｓｏｕｒｃｅ  Ｅｌｅｍｅｎｔ  Ｇｒｏｕｐ）である。ＲＥＧは、ＲＳを除外した状態で４個の隣り合うリソース要素（ＲＥ）で構成される。同図でＲＥＧは太線で示されている。ＰＣＦＩＣＨ及びＰＨＩＣＨはそれぞれ、４個のＲＥＧ及び３個のＲＥＧを含む。ＰＤＣＣＨは、ＣＣＥ（Ｃｏｎｔｒｏｌ  Ｃｈａｎｎｅｌ  Ｅｌｅｍｅｎｔs）単位で構成され、一つのＣＣＥは９個のＲＥＧを含む。
【００４０】
【数１】
2015519780.tif 000003
【００４１】
【表１】
2015519780.tif 000004
【００４２】
検索領域は、特定端末のみに対して接近が許容される端末−特定検索領域（ＵＥ−ｓｐｅｃｉｆｉｃ  ｓｅａｒｃｈ  ｓｐａｃｅ）と、セル内の全端末に対して接近が許容される共通検索領域（ｃｏｍｍｏｎ  ｓｅａｒｃｈ  ｓｐａｃｅ）とに区別できる。端末は、ＣＣＥ集成レベルが４及び８である共通検索領域をモニタリングし、ＣＣＥ集成レベルが１、２、４及び８である端末−特定検索領域をモニタリングする。共通検索領域及び端末特定検索領域はオーバーラップすることがある。
【００４３】
また、各ＣＣＥ集成レベル値に対して、任意の端末に与えられるＰＤＣＣＨ検索領域において最初の（最小のインデックスを持つ）ＣＣＥの位置は端末によって毎サブフレームごとに変化するようになる。これを、ＰＤＣＣＨ検索領域ハッシュ（ｈａｓｈｉｎｇ）という。
【００４４】
上記ＣＣＥはシステム帯域に分散されてよい。より具体的に、論理的に連続した複数のＣＣＥがインターリーバ（ｉｎｔｅｒｌｅａｖｅｒ）に入力されることがあり、該インターリーバは、入力された複数のＣＣＥをＲＥＧ単位で組み替える機能を果たす。したがって、一つのＣＣＥを構成する周波数／時間リソースは、物理的に、サブフレームの制御領域内で全体の周波数／時間領域に散在して分布する。結局、制御チャネルはＣＣＥ単位で構成されるが、インターリービングはＲＥＧ単位で行われることで、周波数ダイバーシティ（ｄｉｖｅｒｓｉｔｙ）と干渉ランダム化（ｉｎｔｅｒｆｅｒｅｎｃｅ  ｒａｎｄｏｍｉｚａｔｉｏｎ）利得を最大化できる。
【００４５】
図６は、ＬＴＥシステムにおいて用いられる上りリンクサブフレームの構造を示す図である。
【００４６】
図６を参照すると、上りリンクサブフレームは、制御情報を運ぶＰＵＣＣＨ（Ｐｈｙｓｉｃａｌ  Ｕｐｌｉｎｋ  Ｃｏｎｔｒｏｌ  ＣＨａｎｎｅｌ）が割り当てられる領域と、ユーザデータを運ぶＰＵＳＣＨ（Ｐｈｙｓｉｃａｌ  Ｕｐｌｉｎｋ  Ｓｈａｒｅｄ  ＣＨａｎｎｅｌ）が割り当てられる領域とに区別される。サブフレームの中間部分がＰＵＳＣＨに割り当てられ、周波数領域においてデータ領域の両側部がＰＵＣＣＨに割り当てられる。ＰＵＣＣＨ上で送信される制御情報は、ＨＡＲＱに用いられるＡＣＫ／ＮＡＣＫ、下りリンクチャネル状態を表すＣＱＩ（Ｃｈａｎｎｅｌ  Ｑｕａｌｉｔｙ  Ｉｎｄｉｃａｔｏｒ）、ＭＩＭＯのためのＲＩ（Ｒａｎｋ  Ｉｎｄｉｃａｔｏｒ）、上りリンクリソース割当要求であるＳＲ（Ｓｃｈｅｄｕｌｉｎｇ  Ｒｅｑｕｅｓｔ）などがある。ある端末に対するＰＵＣＣＨは、サブフレーム内の各スロットにおいて互いに異なった周波数を占める一つのリソースブロックを使用する。すなわち、ＰＵＣＣＨに割り当てられる２個のリソースブロックはスロットを境界に周波数ホッピング（ｆｒｅｑｕｅｎｃｙ  ｈｏｐｐｉｎｇ）する。特に、図６では、ｍ＝０のＰＵＣＣＨ、ｍ＝１のＰＵＣＣＨ、ｍ＝２のＰＵＣＣＨ、ｍ＝３のＰＵＣＣＨがサブフレームに割り当てられる例を示す。
【００４７】
図７は、搬送波集成（ｃａｒｒｉｅｒ  ａｇｇｒｅｇａｔｉｏｎ）を説明する概念図である。
【００４８】
搬送波集成は、無線通信システムがより広い周波数帯域を用いるように、端末が上りリンクリソース（又は、コンポーネント搬送波）及び／又は下りリンクリソース（又は、コンポーネント搬送波）で構成された周波数ブロック又は（論理的意味の）セルを複数個用いて一つの大きい論理周波数帯域として用いる方法を意味する。以下では、説明の便宜のためにコンポーネント搬送波という用語に統一するものとする。
【００４９】
図７を参照すると、全体システム帯域（Ｓｙｓｔｅｍ  Ｂａｎｄｗｉｄｔｈ；Ｓｙｓｔｅｍ  ＢＷ）は論理帯域であって、最大１００ＭＨｚの帯域幅を有する。全体システム帯域は５個のコンポーネント搬送波を含み、それぞれのコンポーネント搬送波は最大２０ＭＨｚの帯域幅を有する。コンポーネント搬送波は、物理的に連続した一つ以上の連続した副搬送波を含む。図７では、それぞれのコンポーネント搬送波がいずれも同一の帯域幅を有するとしたが、これは例示に過ぎず、それぞれのコンポーネント搬送波は互いに異なる帯域幅を有することもできる。また、それぞれのコンポーネント搬送波は、周波数領域において互いに隣接しているとしたが、同図は論理的な概念で示したもので、それぞれのコンポーネント搬送波は物理的に互いに隣接していても、離れていてもよい。
【００５０】
それぞれのコンポーネント搬送波に対して異なる中心搬送波（Ｃｅｎｔｅｒ  ｆｒｅｑｕｅｎｃｙ）を用いたり、物理的に隣接したコンポーネント搬送波に対して共通の一つの中心搬送波を用いることができる。一例として、図７で、全てのコンポーネント搬送波が物理的に隣接しているとすれば、中心搬送波Ａを用いることができる。また、それぞれのコンポーネント搬送波が物理的に隣接していない場合を仮定すれば、それぞれのコンポーネント搬送波に対して別々の中心搬送波Ａ、中心搬送波Ｂなどを用いることができる。
【００５１】
本明細書で、コンポーネント搬送波はレガシーシステムのシステム帯域に該当し得る。コンポーネント搬送波をレガシーシステムを基準に定義することによって、進化した端末及びレガシー端末が共存する無線通信環境において逆支援性（ｂａｃｋｗａｒｄ  ｃｏｍｐａｔｉｂｉｌｉｔｙ）の提供及びシステムの設計が容易となり得る。一例として、ＬＴＥ−Ａシステムが搬送波集成を支援する場合にそれぞれのコンポーネント搬送波はＬＴＥシステムのシステム帯域に該当し得る。この場合、コンポーネント搬送波は、１．２５、２．５、５、１０又は２０ＭＨｚ帯域幅のいずれか一つを有することができる。
【００５２】
搬送波集成によって全体システム帯域を拡張した場合に、各端末との通信に用いられる周波数帯域はコンポーネント搬送波単位に定義される。端末Ａは、全体システム帯域である１００ＭＨｚを用いることができ、５個のコンポーネント搬送波を全て用いて通信を行う。端末Ｂ1〜Ｂ5は２０ＭＨｚ帯域幅のみを用いることができ、一つのコンポーネント搬送波を用いて通信を行う。端末Ｃ1及びＣ2は４０ＭＨｚ帯域幅を用いることができ、それぞれ２つのコンポーネント搬送波を用いて通信を行う。これら２つのコンポーネント搬送波は論理／物理的に隣接しても、隣接しなくてもよい。同図では、端末Ｃ1が、隣接していない２つのコンポーネント搬送波を用いる場合を示し、端末Ｃ2が、隣接した２つのコンポーネント搬送波を用いる場合を示す。
【００５３】
ＬＴＥシステムでは１個の下りリンクコンポーネント搬送波と１個の上りリンクコンポーネント搬送波を用いるのに対し、ＬＴＥ−Ａシステムでは、図７に示すように複数のコンポーネント搬送波を用いることができる。このとき、制御チャネルがデータチャネルをスケジューリングする方式は、既存のリンク搬送波スケジューリング（Ｌｉｎｋｅｄ  ｃａｒｒｉｅｒ  ｓｃｈｅｄｕｌｉｎｇ）方式とクロス搬送波スケジューリング（Ｃｒｏｓｓ  ｃａｒｒｉｅｒ  ｓｃｈｅｄｕｌｉｎｇ）方式とに区別できる。
【００５４】
具体的に、リンク搬送波スケジューリングは、単一コンポーネント搬送波を用いる既存ＬＴＥシステムのように特定コンポーネント搬送波を介して送信される制御チャネルは、該特定コンポーネント搬送波を介してデータチャネルのみをスケジューリングする。
【００５５】
一方、クロス搬送波スケジューリングは、搬送波指示子フィールド（Ｃａｒｒｉｅｒ  Ｉｎｄｉｃａｔｏｒ  Ｆｉｅｌｄ；ＣＩＦ）を用いてプライマリコンポーネント搬送波（Ｐｒｉｍａｒｙ  ＣＣ）を介して送信される制御チャネルが、該プライマリコンポーネント搬送波を介して送信される或いは他のコンポーネント搬送波を介して送信されるデータチャネルをスケジューリングする。
【００５６】
一方、現在の無線通信環境は、Ｍ２Ｍ（Ｍａｃｈｉｎｅ−ｔｏ−Ｍａｃｈｉｎｅ）通信、及び高いデータ伝送量を要求する様々なデバイスの出現及び普及に伴い、セルラー網に対するデータ要求量も急増している。高いデータ要求量を満たす目的で、通信技術は、より多い周波数帯域を效率よく使用するための搬送波集成（ｃａｒｒｉｅｒ  ａｇｇｒｅｇａｔｉｏｎ）技術などと、限られた周波数内でデータ容量を高めるための、多重アンテナ技術や多重基地局協調技術などへと発展しており、通信環境は、ユーザの周辺にアクセスできるノードの密度が高くなる方向に進展している。このような高い密度のノードを備えたシステムは、ノード同士の協調により、より高いシステム性能を示すことができる。このような方式は、各ノードが独立した基地局（Ｂａｓｅ  Ｓｔａｔｉｏｎ（ＢＳ）、Ａｄｖａｎｃｅｄ  ＢＳ（ＡＢＳ）、Ｎｏｄｅ−Ｂ（ＮＢ）、ｅＮｏｄｅ−Ｂ（ｅＮＢ）、Ａｃｃｅｓｓ  Ｐｏｉｎｔ（ＡＰ）など）として動作して互いに協調しない場合に比べて格段に優れた性能を有する。
【００５７】
図８は、次世代通信システムにおいて多重ノードシステムを例示する図である。
【００５８】
図８を参照すると、全てのノードが一つのコントローラにより送受信が管理され、個別ノードが一つのセルの一部のアンテナ集団のように動作をするとすれば、このシステムは、一つのセルを形成する分散多重ノードシステム（ｄｉｓｔｒｉｂｕｔｅｄ  ｍｕｌｔｉ  ｎｏｄｅ  ｓｙｓｔｅｍ；ＤＭＮＳ）と見なすことができる。このとき、各ノードは、個別のＮｏｄｅ ＩＤが与えられてもよく、個別のＮｏｄｅ ＩＤ無しでセル内の一部のアンテナのように動作してもよい。しかし、各ノードが互いに異なったセル識別子（Ｃｅｌｌ  ｉｄｅｎｔｉｆｉｅｒ；ＩＤ）を持つと、これは多重セルシステムと見なすことができる。このような多重セルがカバレッジによって重なり合う形態で構成されるとすれば、これを多重ティアネットワーク（ｍｕｌｔｉ−ｔｉｅｒ  ｎｅｔｗｏｒｋ）と呼ぶ。
【００５９】
一方、Ｎｏｄｅ−Ｂ、ｅＮｏｄｅ−Ｂ、ＰｅＮＢ、ＨｅＮＢ、ＲＲＨ（Ｒｅｍｏｔｅ  Ｒａｄｉｏ  Ｈｅａｄ）、リレー及び分散アンテナなどがノードになり得、一つのノードには少なくとも一つのアンテナが設けられる。ノードは、送信ポイント（Ｔｒａｎｓｍｉｓｓｉｏｎ  Ｐｏｉｎｔ）とも呼ばれる。ノード（Ｎｏｄｅ）は、通常、一定間隔以上で離れたアンテナグループを指すが、本発明ではノードを間隔にかかわらずに任意のアンテナグループと定義しても適用可能である。
【００６０】
上述した多重ノードシステム及びリレーノードの導入から、様々な通信技法の適用が可能になり、チャネル品質の改善が図られるが、前述のＭＩＭＯ技法及びセル間協調通信技法を多重ノード環境に適用するには、新しい制御チャネルの導入が要望される。このような要望から新しく導入が議論されている制御チャネルがＥＰＤＣＣＨ（Ｅｎｈａｎｃｅｄ  ＰＤＣＣＨ）であり、これは、既存の制御領域（以下、ＰＤＣＣＨ領域）ではなくデータ領域（以下、ＰＤＳＣＨ領域という。）に割り当てることが決定された。結論的に、このようなＥＰＤＣＣＨにより、各端末別にノードに関する制御情報を送信することが可能となり、既存のＰＤＣＣＨ領域が足りなくなる問題も解決できる。ちなみに、ＥＰＤＣＣＨは、既存のレガシー端末には提供されず、ＬＴＥ−Ａ端末のみが受信可能である。また、ＥＰＤＣＣＨは、既存のセル特定参照信号であるＣＲＳではなく、ＤＭ−ＲＳ（或いは、ＣＳＩ−ＲＳ）に基づいて送信及び受信がなされる。
【００６１】
図９は、ＥＰＤＣＣＨ、及びＥＰＤＣＣＨによってスケジューリングされるＰＤＳＣＨを例示する図である。
【００６２】
図９を参照すると、ＰＤＣＣＨ１及びＰＤＣＣＨ２はそれぞれＰＤＳＣＨ１及びＰＤＳＣＨ２をスケジューリングし、ＥＰＤＣＣＨは他のＰＤＳＣＨをスケジューリングすることがわかる。特に、図９では、ＥＰＤＣＣＨがサブフレームの４番目のシンボルから始まって最後のシンボルまで送信されることを示している。
【００６３】
一般に、データを送信するＰＤＳＣＨ領域を介してＥＰＤＣＣＨを送信することができ、端末は自身へのＥＰＤＣＣＨの有無を検出するために、ＥＰＤＣＣＨをモニタリングする。すなわち、ＥＰＤＣＣＨに含まれたＤＣＩを獲得するために、端末は集成レベルＬの検索領域においてあらかじめ定められた個数のＥＰＤＣＣＨ候補に対してブラインドデコーティングを行わなければならない。既存のＰＤＣＣＨのための検索領域の集成レベルと同様に、、ＥＰＤＣＣＨのための検索領域の集成レベルも、一つのＤＣＩを送信するために用いられるＥＣＣＥ（Ｅｎｈａｎｃｅｄ  ＣＣＥ）の個数を意味する。
【００６４】
以下では、端末が端末特定検索領域において集成レベル＃１、＃２、＃４、＃８に対してそれぞれ６、６、２、２個のＥＰＤＣＣＨ候補を仮定してＰＤＣＣＨを検出する場合について説明する。しかし、本発明がこれに限定されるものではなく、上述した個数以外の個数のＥＰＤＣＣＨ候補に対して検出を行う場合にも適用されてもよいことは自明である。
【００６５】
ＥＰＤＣＣＨは、既存のＰＤＣＣＨとは違い、一定のＲＢ（Ｒｅｓｏｕｒｃｅ  Ｂｌｏｃｋ）集合を用いて送信される特徴を有する。特に、制御チャネルオーバーヘッドを減少させ、ＰＤＳＣＨとのリソース衝突を回避するために、ＥＰＤＣＣＨが送信され得るＲＢの集合は制限されることが好ましい。したがって、基地局は上位層信号を介して、ＥＰＤＣＣＨが送信され得るＲＢの集合を端末に知らせることができ、端末は、シグナリングされたＲＢ内でのみＥＰＤＣＣＨが送信されると仮定して検出を試みることができる。
【００６６】
一般に、同一のＰＲＢインデックスを持つ一番目のスロット及び二番目のスロットの組合せである一つのＰＲＢ対において単一ＤＣＩの送信に用いられるにはそのＲＥの数が相当多い。したがって、一つのＰＲＢ対を複数のリソースセットに分割し、このリソースセットを適切に用いてＥＰＤＣＣＨを送信することが好ましい。例えば、一つのＰＲＢ対を４個のリソースセットに分割し、それぞれを一つのＥＣＣＥと見なすことができ、この場合、集成レベルＬのＥＰＤＣＣＨはＬ個のＥＣＣＥを用いて送信される。又は、一つのＰＲＢ対を８個のリソースセットに分割し、さらに２つのリソースセットを一つのＥＣＣＥに束ねた後、Ｌ個のＥＣＣＥを用いて集成レベルＬのＥＰＤＣＣＨを送信することもでき、この場合には、周波数ダイバーシティ（ｆｒｅｑｕｅｎｃｙ  ｄｉｖｅｒｓｉｔｙ）のために、異なるＰＲＢ対に属したリソースセットが一つのＥＣＣＥを構成するように設定することができる。
【００６７】
また、ＥＰＤＣＣＨ候補の個数はＰＤＣＣＨ候補の個数と同一に維持されることが好ましいが、これは、ＰＤＣＣＨにおけるブラインドデコーティング回路が再利用できるなどの長所があるためである。したがって、充分のＰＲＢ対が設定されたことから、各集成レベル別ＥＰＤＣＣＨ候補を重ねないで構成できるとすれば、ＰＤＣＣＨ候補の個数と同一に、集成レベル＃１、＃２、＃４、＃８に対してそれぞれ６、６、２、２個のＥＰＤＣＣＨ候補を仮定してＥＰＤＣＣＨを検出する。
【００６８】
図１０は、本発明の実施例によってＥＰＤＣＣＨのブラインドデコーティングのために、６個のＰＲＢ対に構成されたＥＰＤＣＣＨ候補を例示する図である。
【００６９】
図１０を参照すると、６個のＰＲＢ対がＥＰＤＣＣＨのために設定された状況で一つのＰＲＢ対が４個のＥＣＣＥに分割される場合に該当する。ここで、ＰＲＢ対は互いに連続してもよく、分散されてもよい。このときは、各集成レベル＃１のＥＰＤＣＣＨ候補が互いに異なるＰＲＢ対に位置して、ＥＰＤＣＣＨを送信する際の周波数選択的ダイバーシティが高められるように設定した。
【００７０】
また、図１０では、各集成レベルにおけるＥＰＤＣＣＨ候補は、与えられたＰＲＢ対で極力分散され得るように位置を指定した。例えば、集成レベル＃４の場合は２つのＥＰＤＣＣＨ候補のみが存在するため、それぞれＰＲＢ対＃０とＰＲＢ対＃３において定義され、その間隔が２ＰＲＢ対となるように構成した。
【００７１】
図１１は、本発明の実施例によってＥＰＤＣＣＨのブラインドデコーティングのために４個のＰＲＢ対に構成されたＥＰＤＣＣＨ候補の一例を示す図である。
【００７２】
図１１を参照すると、４個のＰＲＢ対が設定された状況において一部のＰＲＢ対では一つのＰＲＢ対に集成レベル１のＥＰＤＣＣＨ候補を２個ずつ構成して、４個のＰＲＢ対で６個のＥＰＤＣＣＨ候補を構成したことがわかる。特に、図１１では、ＰＲＢ対＃０、＃１で２つの集成レベル＃１のＥＰＤＣＣＨ候補が存在する。
【００７３】
また、図１１では、図１０と比較して、集成レベル＃１のＥＰＤＣＣＨ候補間の間隔が縮まったということがわかる。より具体的に、ＥＰＤＣＣＨ候補＃０と＃１との間隔は、相対的に多いＰＲＢ対を用いる図１０では４ＥＣＣＥである（すなわち、ＥＰＤＣＣＨ候補＃１のインデックスがＥＰＤＣＣＨ候補＃０のインデックス＋４と決定される）が、相対的に少ないＰＲＢ対を用いる図１１では２ＥＣＣＥとなる。このような動作は、ＥＰＤＣＣＨに設定されたＰＲＢ対の個数、一つのＰＲＢ対で形成されるＥＣＣＥの個数によってＥＰＤＣＣＨ候補間の間隔を調節することによって具現することができる。
【００７４】
例えば、一つのＰＲＢ対でＫ個のＥＣＣＥが形成される状況においてＮ個のＰＲＢ対が設定された場合、合計Ｋ・Ｎ個のＥＣＣＥが形成されるため、集成レベル＃ＬであるＥＰＤＣＣＨ候補の間隔（Ｘ）は、下記の式１のように与えることができる。
【００７５】
【数２】
2015519780.tif 000005
【００７６】
図１２は、本発明の実施例によってＥＰＤＣＣＨのブラインドデコーティングのために４個のＰＲＢ対に構成されたＥＰＤＣＣＨ候補の他の例を示す図である。
【００７７】
図１２を参照すると、まず、一定の間隔（例えば、４ＥＣＣＥ）で順次に集成レベル＃１のＥＰＤＣＣＨ候補を各ＰＲＢ対に一つずつ形成するが、設定されたＰＲＢ対の全てにおいて一つのＥＰＤＣＣＨ候補が形成されると、最初のＥＣＣＥインデックスから一定のオフセットを付与した位置で該当の間隔を維持しながら引き続きＥＰＤＣＣＨ候補を形成する。
【００７８】
例えば、集成レベル＃１の場合は、まず、４ＥＣＣＥの間隔でＰＲＢ対＃０から始まって各ＰＲＢ対ごとに一つずつ集成レベル１のＥＰＤＣＣＨ候補＃０、＃１、＃２、＃３を形成する。まだ２つのＥＰＤＣＣＨ候補が残っているものの、設定されたＰＲＢ対は消尽したため、一定のオフセット、例えば２ＥＣＣＥのオフセットを適用した後、４ＥＣＣＥの間隔で残りのＥＰＤＣＣＨ候補＃４、＃５を形成する。ここで、オフセットは一つのＰＲＢ対内でも集成レベル＃１のＥＰＤＣＣＨ候補を均一に分散させるために、４ＥＣＣＥ間隔の半分に該当する２ＥＣＣＥに設定した。
【００７９】
一方、ＥＰＤＣＣＨのためのＰＲＢ対の個数がさらに減ると、一部の高集成レベルのＥＰＤＣＣＨ候補を全て送信するにはリソースが足りないという問題が発生し得る。例えば、一つのＰＲＢ対で４個のＥＣＣＥが形成されるとき、ＥＰＤＣＣＨのために設定されたＰＲＢ対の数が４個よりも小さいと、集成レベル８の２個のＥＰＤＣＣＨ候補を設定することができなくなる。以下では、このような問題を解決するための方法を提示する。
【００８０】
図１３は、本発明の実施例によってＥＰＤＣＣＨのブラインドデコーティングのために３個のＰＲＢ対に構成されたＥＰＤＣＣＨ候補の一例を示す図である。
【００８１】
図１３を参照すると、一部のＥＣＣＥを複数のＥＰＤＣＣＨ候補に重ねて割り当てたことがわかる。すなわち、図１３では、３個のＰＲＢ対が割り当てられた状況であるから、ＰＲＢ対＃０に構成されたＥＣＣＥは、集成レベル＃８のＥＰＤＣＣＨ候補＃０と＃１のために重なって用いられる。
【００８２】
他の方式としては、リソースが充分でないＥＰＤＣＣＨ候補はないと見なすこともできる。すなわち、端末は、他のＥＰＤＣＣＨ候補とＥＣＣＥが重なるＥＰＤＣＣＨ候補に対してはブラインドデコーティングを行わない。この場合、端末のブラインドデコーティング回数が減るため、当該ブラインドデコーティング能力を他のＥＰＤＣＣＨ候補、特に、低集成レベルのＥＰＤＣＣＨ候補をブラインドデコーティングするために用いることができる。言い換えると、問題となる高集成レベルのブラインドデコーティング能力を、低集成レベルのＥＰＤＣＣＨ候補をブラインドデコーティングするために用いる。その結果、各集成レベル別ＥＰＤＣＣＨ候補の数字が変わることがある。
【００８３】
図１４は、本発明の実施例によってＥＰＤＣＣＨのブラインドデコーティングのために３個のＰＲＢ対に構成されたＥＰＤＣＣＨ候補の他の例を示す図である。
【００８４】
図１４を参照すると、集成レベル＃８のＥＰＤＣＣＨ候補を１個除去する代わりに集成レベル＃４のＥＰＤＣＣＨ候補を１個増やして、集成レベル＃１、＃２、＃４、＃８に対してそれぞれ６、６、３、１個のＥＰＤＣＣＨ候補が存在するように設定している。もちろん、１個減った集成レベル８に対するブラインドデコーティング能力を集成レベル＃１や＃２のＥＰＤＣＣＨ候補を１個増やすために用いることもできる。
【００８５】
他の方式としては、特定の集成レベルのＥＰＤＣＣＨ候補を全て形成するには設定されたＰＲＢ対が不足すると、当該集成レベルの全ＥＰＤＣＣＨ候補がないと仮定することができる。その代わり、他の集成レベルのＥＰＤＣＣＨ候補を増やしてブラインドデコーティングの合計の回数は一定に維持することができる。
【００８６】
図１５は、本発明の実施例によってＥＰＤＣＣＨのブラインドデコーティングのために３個のＰＲＢ対に構成されたＥＰＤＣＣＨ候補の更に他の例を示す図である。
【００８７】
図１５を参照すると、集成レベル＃８のＥＰＤＣＣＨ候補が存在せず、その代わりに集成レベル＃１と＃４のそれぞれに対して１個のＥＰＤＣＣＨ候補が追加されたことがわかる。したがって、集成レベル＃１、＃２、＃４、＃８のＥＰＤＣＣＨ候補の個数は７、６、３、０になる。同様に、集成レベル＃１のＥＰＤＣＣＨ候補のみを２個増加させて、集成レベル＃１、＃２、＃４、＃８のＥＰＤＣＣＨ候補の個数を８、６、２、０にすることもできる。
【００８８】
以下、ＥＰＤＣＣＨのブラインドデコーティングのために２個のＰＲＢ対にＥＰＤＣＣＨ候補を構成する方法を説明する。
【００８９】
図１６は、本発明の実施例によってＥＰＤＣＣＨのブラインドデコーティングのために２個のＰＲＢ対に構成されたＥＰＤＣＣＨ候補の一例を示す図である。
【００９０】
図１６を参照すると、２個のＰＲＢ対にＥＰＤＣＣＨ候補を構成した結果、集成レベル＃１、＃２、＃４、＃８のＥＰＤＣＣＨ候補の個数がそれぞれ８、４、２、１に構成されたことがわかる。全ての集成レベルで最大のＥＰＤＣＣＨ候補を形成したが、１回のブラインドデコーティング能力が残っていることがわかる。具体的に、既存は集成レベル＃１、＃２、＃４、＃８のそれぞれに対して６、６、２、２個の１６回のブラインドデコーティング能力があるが、図１６では、ＥＰＤＣＣＨ候補の個数がそれぞれ８、４、２、１に構成されて１５回のブラインドデコーティング能力のみが要求される。したがって、１回のブラインドデコーティング能力が余裕分として残ることがある。
【００９１】
複数のＥＣＣＥを集成してＥＰＤＣＣＨ候補を形成するとき、設定されたＥＣＣＥの個数が不足して、該当するＥＣＣＥを用いて既にＥＰＤＣＣＨ候補が形成された状況においては、集成するＥＣＣＥの組合せを変更して、制限されたリソースを使用しながらも極力様々な組合せのＥＰＤＣＣＨ候補を形成するように動作することもできる。図１６で、１回の余裕分であるブラインドデコーティング能力を集成レベル＃２に用いる場合、全てのＥＣＣＥが既に集成レベル＃２のＥＰＤＣＣＨ候補に使用されたたため、既存のＥＣＣＥを用いるものの、集成されるＥＣＣＥの組合せを異ならせることによって、新しいＥＰＤＣＣＨ候補を形成することができる。
【００９２】
図１７は、本発明の実施例によってＥＰＤＣＣＨのブラインドデコーティングのために２個のＰＲＢ対に構成されたＥＰＤＣＣＨ候補の他の例を示す図である。特に、図１７は、１回の余裕分であるブラインドデコーティング能力を集成レベル＃２に用いる場合に限定して説明する。
【００９３】
図１７を参照すると、Ｃａｓｅ１はＥＣＣＥ＃０と＃２を用いてＰＲＢ対＃０内に存在する周波数領域で局地化した新しいＥＰＤＣＣＨ候補を形成した場合であり、Ｃａｓｅ２は、ＥＣＣＥ＃０と＃４を用いて２ＰＲＢ対にわたる周波数領域で分散された形態の新しいＥＰＤＣＣＨ候補を形成した場合である。また、Ｃａｓｅ３は、集成する２ＥＣＣＥを、他のＥＰＤＣＣＨ候補と同様に隣接したＥＣＣＥで形成するものの、集成の開始地点（ｓｔａｒｔｉｎｇ  ｐｏｓｉｔｉｏｎ）にオフセット（特徴的に、集成レベルよりも小さい値、ここでは半分に該当する１ＥＣＣＥ）を反映して隣接した２ＥＣＣＥを集成しても、以前のＥＰＤＣＣＨ候補とは異なる組合せとなるように動作している。特に、オフセットは集成レベルよりも小さい値が好ましく、図１７では、集成レベルの半分に該当する１ＥＣＣＥを仮定した。
【００９４】
このような動作は他の集成レベルにも適用することができる。例えば、図１６で、集成レベル＃４に１回の余裕分であるブラインドデコーティング能力が用いられるとすれば、２ＰＲＢ対に分散された新しい集成レベル４のＥＰＤＣＣＨ候補をＥＣＣＥ＃０、＃１、＃４、＃５を用いて形成することができる。
【００９５】
また、特定の集成レベルで排他的なＥＣＣＥ或いは重複使用されないＥＣＣＥのみを用いて検索領域を構成するには設定されたＥＣＣＥが足りないと、ＥＰＤＣＣＨ候補間の間隔を集成レベルよりも狭めて、ＥＰＤＣＣＨ候補同士が一部重なるように検索領域を構成することもできる。
【００９６】
図１８は、本発明の実施例によってＥＰＤＣＣＨのブラインドデコーティングのために２個のＰＲＢ対に構成されたＥＰＤＣＣＨ候補の更に他の例を示す図である。
【００９７】
図１８を参照すると、集成レベル＃２のＥＰＤＣＣＨ候補を形成するとき、各ＥＰＤＣＣＨ候補の開始地点間の間隔を１ＥＣＣＥに設定して、隣接したＥＰＤＣＣＨ候補同士が一部ＥＣＣＥを共有することがわかる。具体的に、ＥＰＤＣＣＨ候補＃０と＃１はＥＣＣＥ＃１を共有している。ただし、図１８では８個のＥＣＣＥで集成レベル＃２のＥＰＤＣＣＨ候補８個を形成しているが、端末のブラインドデコーティング能力によってこれらの候補の一部のみを実際検索領域に含めることもできる。
【００９８】
一方、搬送波集成技法が適用された場合、一つのコンポーネント搬送波で残りのコンポーネント搬送波に対する制御信号を送信するとすれば、すなわち、交差搬送波スケジューリングを行うとすれば、各集成レベル別に必要なＥＰＤＣＣＨ候補の数が増えることがある。このような場合、ＥＰＤＣＣＨ候補間の間隔を調節する動作やＥＰＤＣＣＨ候補のために用いるＥＣＣＥが重なる場合に対する動作が、該当のＥＰＤＣＣＨ検索領域で制御するコンポーネント搬送波の個数によって調節されてもよい。
【００９９】
より具体的に、図１９に示すように６個のＰＲＢ対が設定され、２つのコンポーネント搬送波に対する制御信号を送信する場合には、集成レベル＃１、＃２、＃４、＃８にそれぞれ１２、１２、４、４個のＥＰＤＣＣＨ候補が必要となる。この場合には、集成レベル＃１、＃２のＥＰＤＣＣＨ候補間に所定の間隔を設定しておいて、与えられたＰＲＢ対に各ＥＰＤＣＣＨ候補が均等に分布するように構成することができる。
【０１００】
図１９は、本発明の実施例によって搬送波集成技法が適用された環境下でＥＰＤＣＣＨのブラインドデコーティングのために６個のＰＲＢ対に構成されたＥＰＤＣＣＨ候補の一例を示す図である。特に、図１９で、Ａ、Ｂはそれぞれ、ＥＰＤＣＣＨ候補＃１０、＃１１を意味する。
【０１０１】
図１９を参照すると、集成レベル＃１、＃２のＥＰＤＣＣＨ候補間にそれぞれ２ＥＣＣＥの間隔が設定されたことがわかる。ただし、図１９では、集成レベル＃８のＥＰＤＣＣＨ候補＃３は、余分のリソースがないため、ＥＰＤＣＣＨ候補＃０と重複するように構成したが、本発明の原理を適用して、他のＥＣＣＥの組合せの形態でＥＰＤＣＣＨ候補を構成したり、該当のＥＰＤＣＣＨ候補を削除し、他の集成レベルのＥＰＤＣＣＨ候補数を増やすように動作することも可能である。
【０１０２】
【数３】
2015519780.tif 000006
【０１０３】
一方、図１９のように動作する場合、連続するインデックスのＥＰＤＣＣＨ候補を一つのコンポーネント搬送波に割り当てると、特定コンポーネント搬送波のＥＰＤＣＣＨ候補が特定ＰＲＢ対に集中することがある。この場合、当該ＰＲＢ対のチャネル状態が悪化すると、当該コンポーネント搬送波に対する全体的な制御信号送信の機会が減るという問題が発生し得る。この問題を解決する一方法として、各コンポーネント搬送波に各ＥＰＤＣＣＨ候補が一つずつ交差して割り当てられるように動作することができる。
【０１０４】
【数４】
2015519780.tif 000007
【０１０５】
さらに、ＥＰＤＣＣＨ候補間の間隔を一つのコンポーネント搬送波のみ存在する場合と同一に維持するものの、各コンポーネント搬送波のＥＰＤＣＣＨ候補間に一定のオフセットを付与することが可能である。
【０１０６】
図２０は、本発明の実施例によって搬送波集成技法が適用された環境下で、ＥＰＤＣＣＨのブラインドデコーティングのために６個のＰＲＢ対に構成されたＥＰＤＣＣＨ候補の他の例を示す図である。
【０１０７】
図２０を参照すると、ＥＰＤＣＣＨ候補＃０、＃１、…、＃５はコンポーネント搬送波＃０に割り当てられ、ＥＰＤＣＣＨ候補＃Ａ、＃Ｂ、…、＃Ｆはコンポーネント搬送波＃１に割り当てられたと仮定すれば、各コンポーネント搬送波のＥＰＤＣＣＨ候補は４ＥＣＣＥ間隔を維持するものの、コンポーネント搬送波間に２ＥＣＣＥのオフセットをおいて検索領域を形成したことがわかる。
【０１０８】
図２１は、本発明の一実施例に係る通信装置のブロック構成図である。
【０１０９】
図２１を参照すると、通信装置２１００は、プロセッサ２１１０、メモリー２１２０、ＲＦモジュール２１３０、ディスプレイモジュール２１４０、及びユーザインターフェースモジュール２１５０を備えている。
【０１１０】
通信装置２１００は、説明の便宜のために例示されたもので、一部のモジュールは省略してもよい。また、通信装置２１００は、必要なモジュールをさらに備えてもよい。また、通信装置２１００において、一部モジュールはより細分化したモジュールにしてもよい。プロセッサ２１１０は、図面を参照して例示した本発明の実施例に係る動作を実行するように構成される。具体的には、プロセッサ２１１０の詳細な動作は、図１乃至図２１に記載された内容を参照されたい。
【０１１１】
メモリー２１２０は、プロセッサ２１１０に接続し、オペレーティングシステム、アプリケーション、プログラムコード、データなどを格納する。ＲＦモジュール２１３０は、プロセッサ２１１０に接続し、基底帯域信号を無線信号に変換したり、無線信号を基底帯域信号に変換する機能を担う。そのために、ＲＦモジュール２１３０は、アナログ変換、増幅、フィルタリング及び周波数アップ変換、又はこれらの逆過程を行う。ディスプレイモジュール２１４０は、プロセッサ２１１０に接続し、様々な情報をディスプレイする。ディスプレイモジュール２１４０は、次に制限されるものではないが、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）のような周知の要素を用いることができる。ユーザインターフェースモジュール２１５０は、プロセッサ２１１０に接続し、キーパッド、タッチスクリーンなどのような周知のユーザインターフェースの組合せで構成することができる。
【０１１２】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新しい請求項として含めたりできるということは明らかである。
【０１１３】
本発明に係る実施例は、様々な手段、例えば、ハードウェア、ファームウェア（ｆｉｒｍｗａｒｅ）、ソフトウェア又はそれらの結合などによって具現することができる。ハードウェアによる具現では、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１１４】
ファームウェアやソフトウェアによる具現では、本発明の一実施例は、以上で説明された機能又は動作を実行するモジュール、手順、関数などの形態で具現されてもよい。ソフトウェアコードは、メモリーユニットに記憶され、プロセッサにより駆動可能である。メモリーユニットは、プロセッサの内部又は外部に設けられ、公知の様々な手段によりプロセッサとデータを交換することができる。
【０１１５】
本発明は、本発明の特徴を逸脱しない範囲で別の特定の形態に具体化できるということが当業者にとっては自明である。したがって、上記の詳細な説明は、いずれの面においても制限的に解釈してはならず、例示的なものとして考慮しなければならない。本発明の範囲は、添付の請求項の合理的な解釈により決定すべきであり、本発明の等価的範囲内における変更はいずれも本発明の範囲に含まれる。
【産業上の利用可能性】
【０１１６】
上述のような無線通信システムにおいて下りリンク制御チャネルを送受信する方法及びそのための装置は、３ＧＰＰ ＬＴＥシステムに適用される例を中心にして説明したが、３ＧＰＰ ＬＴＥシステムの他、様々な無線通信システムにも適用可能である。
【図１】
2015519780.tif 000008
【図２】
2015519780.tif 000009
【図３】
2015519780.tif 000010
【図４】
2015519780.tif 000011
【図５】
2015519780.tif 000012
【図６】
2015519780.tif 000013
【図７】
2015519780.tif 000014
【図８】
2015519780.tif 000015
【図９】
2015519780.tif 000016
【図１０】
2015519780.tif 000017
【図１１】
2015519780.tif 000018
【図１２】
2015519780.tif 000019
【図１３】
2015519780.tif 000020
【図１４】
2015519780.tif 000021
【図１５】
2015519780.tif 000022
【図１６】
2015519780.tif 000023
【図１７】
2015519780.tif 000024
【図１８】
2015519780.tif 000025
【図１９】
2015519780.tif 000026
【図２０】
2015519780.tif 000027
【図２１】
2015519780.tif 000028
【国際調査報告】
2015519780.tif 000029
2015519780.tif 000030
2015519780.tif 000031
2015519780.tif 000032